(57)【要約】      （修正有）【課題】飲料サーバーの安定性の向上が図れ、しかも、小型化に適した飲料サーバーを提供する。【解決手段】飲料缶Ａを収容するための飲料缶収容部１１が形成されたケーシング２を有し、ケーシング２の前側に飲料注出口が設けられ、テーブルＣに設置された状態で飲料流路を開閉する弁体を開くことによって飲料缶Ａ内の飲料を飲料注出口から注出する飲料サーバー１において、ケーシング２には、飲料注出口がテーブルＣの縁部の外方に位置するように飲料サーバー１をテーブルＣの縁部に固定する固定手段４０が設けられている。【選択図】図１
0003209330.tif 000002
【実用新案登録請求の範囲】
【請求項１】
飲料缶を収容するための飲料缶収容部が形成されたケーシングを有し、前記ケーシングの前側に飲料注出口が設けられ、テーブルに設置された状態で飲料流路を開閉する弁体を開くことによって前記飲料缶内の飲料を前記飲料注出口から注出する飲料サーバーにおいて、前記ケーシングには、前記飲料注出口が前記テーブルの縁部の外方に位置するように前記飲料サーバーを前記テーブルの縁部に固定する固定手段が設けられていることを特徴とする飲料サーバー。
【請求項２】
前記固定手段は、前記ケーシングの後側に向けて開口し前記テーブルの縁部を収容するコ字状のテーブル収容部と、前記テーブル収容部の下壁に設けられ前記テーブル収容部の上壁に向けて進退可能な押圧体と、前記押圧体を前記テーブル収容部の上壁に向けて付勢する付勢部材とを備え、前記テーブル収容部の上壁と前記押圧体との間で前記テーブルの縁部を上下から挟持することで、前記飲料サーバーを前記テーブルの縁部に固定することを特徴とする請求項１に記載の飲料サーバー。
【請求項３】
前記飲料注出口の下方に、前記ケーシングの前後方向に動作可能で前方に向けて付勢され外力によって後方に動作した際に前記弁体を開かせるための第１の操作子を備えることを特徴とする請求項１又は請求項２に記載の飲料サーバー。
【請求項４】
前記飲料流路を流れる飲料を泡化する泡形成手段と、前記第１の操作子の下方に設けられ前後方向に動作可能で前方に向けて付勢され外力によって後方に動作した際に前記泡形成手段を作動させるための第２の操作子を備えることを特徴とする請求項３に記載の飲料サーバー。
【請求項５】
前記第２の操作子は、上面に凹部が形成され前記飲料の受皿を構成するとともに、前記ケーシングに対して着脱可能となっていることを特徴とする請求項４に記載の飲料サーバー。
【請求項６】
前記第１の操作子及び前記２の操作子を同時に押圧可能なグラスを使用する場合、前記グラスの上端部を前記ケーシング側に倒すように傾けることで前記グラスの上端部で第１の操作子のみを後方に押圧可能で、前記グラスを正立させた状態で前記第１の操作子及び前記第２の操作子を前記グラスで同時に後方に押圧可能に構成されていることを特徴とする請求項４又は請求項５に記載の飲料サーバー。
【考案の詳細な説明】
【技術分野】
【０００１】
本発明は飲料サーバーに関するものである。
【背景技術】
【０００２】
家庭でも使用できる簡易な飲料サーバーとして、ビール等の飲料が入った飲料缶を逆さまにしてサーバー内に配置し、飲料缶内の飲料を注出するものが知られている（例えば、特許文献１参照）。
【０００３】
この飲料サーバーでは、グラスをテーブル等の上に載置し、操作レバーを手で操作することによって缶内のビールをグラスに注出している。
【先行技術文献】
【特許文献】
【０００４】
【特許文献１】特開２０１５−１３７１０８号公報
【考案の概要】
【考案が解決しようとする課題】
【０００５】
ところで、家庭で使用される飲料サーバーは、業務用とは異なり軽量である。したがって、飲料の注出にあたり、安定性を確保するために片手で飲料サーバーを支え、他方の手で操作レバーを操作する必要がある。そのため、注出作業が面倒であった。
また、この飲料サーバーでは、グラスをテーブルの上に載置して飲料を注出する。したがって、飲料用サーバーの背丈をグラスよりも高くしておく必要がある。そのため、飲料サーバーが大型化してしまうという問題があった。
さらに、飲料サーバーの前面側にグラスを載置するため、注出作業を行う際にはテーブル上に広いスペースを確保する必要があった。
【０００６】
本発明は、飲料サーバーの安定性の向上が図れ、しかも、小型化に適した飲料サーバーを提供することを目的とする。
【課題を解決するための手段】
【０００７】
第１の手段は、飲料缶を収容するための飲料缶収容部が形成されたケーシングを有し、前記ケーシングの前側に飲料注出口が設けられ、テーブルに設置された状態で飲料流路を開閉する弁体を開くことによって前記飲料缶内の飲料を前記飲料注出口から注出する飲料サーバーにおいて、前記ケーシングには、前記飲料注出口が前記テーブルの縁部の外方に位置するように前記飲料サーバーを前記テーブルの縁部に固定する固定手段が設けられていることを特徴とする。
【０００８】
第２の手段は、第１の手段において、前記固定手段は、前記ケーシングの後側に向けて開口し前記テーブルの縁部を収容するコ字状のテーブル収容部と、前記テーブル収容部の下壁に設けられ前記テーブル収容部の上壁に向けて進退可能な押圧体と、前記押圧体を前記テーブル収容部の上壁に向けて付勢する付勢部材とを備え、前記テーブル収容部の上壁と前記押圧体との間で前記テーブルの縁部を上下から挟持することで、前記飲料サーバーを前記テーブルの縁部に固定することを特徴とする。
【０００９】
第３の手段は、第１の手段及び第２の手段において、前記飲料注出口の下方に、前記ケーシングの前後方向に動作可能で前方に向けて付勢され外力によって後方に動作した際に前記弁体を開かせるための第１の操作子を備えることを特徴とする。
【００１０】
第４の手段は、第３の手段において、前記飲料流路を流れる飲料を泡化する泡形成手段と、前記第１の操作子の下方に設けられ前後方向に動作可能で前方に向けて付勢され外力によって後方に動作した際に前記泡形成手段を作動させるための第２の操作子を備えることを特徴とする。
【００１１】
第５の手段は、第４の手段において、前記第２の操作子は、上面に凹部が形成され前記飲料の受皿を構成するとともに、前記ケーシングに対して着脱可能となっていることを特徴とする。
【００１２】
第６の手段は、第４の手段又は第５の手段において、前記第１の操作子及び前記２の操作子を同時に押圧可能なグラスを使用する場合、前記グラスの上端部を前記ケーシング側に倒すように傾けることで前記グラスの上端部で第１の操作子のみを後方に押圧可能で、前記グラスを正立させた状態で前記第１の操作子及び前記第２の操作子を前記グラスで同時に後方に押圧可能に構成されていることを特徴とする。
【考案の効果】
【００１３】
第１の手段によれば、飲料注出口がテーブルの縁部の外方に位置するように飲料サーバーをテーブルの縁部に固定することができるので、飲料の注出にあたり、手で飲料サーバーを支える必要がなくなる。また、ケーシングの前方の空間（テーブルの外方空間）を有効に活用することができるため、飲料サーバーのテーブル面からの背丈を低くすることができる。さらに、グラスをテーブル外方に位置させて飲料を注出できるため、テーブル上にグラスを置くためのスペースを確保する必要がなくなる。
【００１４】
第２の手段によれば、コ字状のテーブル収容部の下壁に上壁側に付設された押圧板が設けられているので、テーブルの厚さが異なっていても、飲料サーバーをテーブルに確実且つ簡便に固定することができる。この場合、テーブルの縁部の収容にあたり、押圧板を手で下げても、テーブルとの摺接によって下げてもよい。
【００１５】
第３の手段によれば、飲料注出口の下方に、ケーシングの前後方向に動作可能で前方に向けて付勢され外力によって後方に動作した際に弁体を開かせる第１の操作子を備えるので、グラスを第１の操作子に押し付けるだけで飲料の注出ができる。
【００１６】
第４の手段によれば、グラスに飲料を所定量注入した後に、そのグラスによって第２の操作子をケーシング内に押し込むことによって泡形成装置を作動させることができる。したがって、注出する飲料に飲料泡を盛ることができる。また、第１の操作子の操作によって飲料を、第２の操作子の操作によって飲料泡を注出するので、簡単且つ確実に、飲料の上に飲料泡を盛ることができる。
【００１７】
第５の手段によれば、飲料注出の際に弁体等から漏出した飲料は第２の操作子の凹部によって受け止められるので、床等に飲料がこぼれ落ちるのを防止することができる。また、第２の操作子はケーシングに対して着脱可能なので、第２の操作子をケーシングから離脱させることによって、だい２の操作子を単独で取り扱ったり、洗浄したりすることができる。
【００１８】
第６の手段によれば、グラスを傾けて第１の操作子のみを操作することによって飲料を注ぐことができるとともに、グラスを正立させて第１の操作及び第２の操作子を操作することによって飲料泡を注ぐことができる。したがって、ビールなどの飲料の場合、飲料缶や飲料瓶からビールを実際に注いでもらっているかのイメージが醸し出される。
【図面の簡単な説明】
【００１９】
【図１】本発明の飲料サーバーの一実施形態を示した斜視図である。
【図２】本実施形態の飲料サーバーの分解斜視図である。
【図３】本実施形態の飲料サーバーの飲料缶保持部を示した他の分解斜視図である。
【図４】本実施形態の飲料サーバーの上部を示した断面図である。
【図５】本実施形態の飲料サーバーのビール注出部を示した斜視図である。
【図６】本実施形態の飲料サーバーのケーシング下部の構造を概念的に示した断面図である。
【図７】本実施形態の飲料サーバーの作用を説明する模式図である。
【図８】本実施形態の空気パイプの取付け構造を示した断面図である。
【考案を実施するための形態】
【００２０】
以下、本発明の飲料サーバーを図面に示した実施形態に基づいて説明する。
【００２１】
図１に示した飲料サーバーの一例であるビールサーバー１である。
このビールサーバー１は、ケーシング２の上部にビール缶（飲料缶）Ａを逆さまにして保持するビール缶保持部１０と、ビール缶Ａ内のビールを注出するビール注出部２０と、ビール泡を形成する泡形成部３０（図４）と、ビールサーバー１をテーブルに固定するサーバー固定手段４０とを備えている。
なお、このビールサーバー１は電源として電池（図示せず）を使用している。電池はケーシング２後側の蓋（図示せず）を開けて着脱できるようにされている。
【００２２】
ビール缶保持部１０は、図３に示すように、ケーシング２の上部にビール缶Ａの飲み口側端部を収容する筒状収容体１１が設置されている。この筒状収容体１１の上面には、筒状収容体１１の周壁１１ａと中心を同じくする環状リブ１２が立設されている。環状リブ１２には、シール性向上のためにシリコンリング１２ａが被せられている（図４参照）。また、筒状収容体１１の上面には、環状リブ１２の内側に、ビール流出口１３及びパイプ装着用突起１４が形成されている。パイプ装着用突起１４には、図８に示すように、中心に孔１４ａが貫設されている。このパイプ装着用突起１４には空気パイプ１５の下端部が嵌合される。また、筒状収容体１１の周壁１１ａの内周面には、図３に示すように、底面から適宜間隔をもって中心に向けて張り出す４つの突片１６が円周方向に所定間隔で形成されている。
【００２３】
このビール缶保持部１０は、ビール缶Ａの飲み口側端部に嵌着される筒状体１７を備えている。筒状体１７には縦方向にスリット１７ａが形成されている。そして、筒状体１７は弾性を有している。筒状体１７の外周面下端には、外方に向けて張り出す４つの突片１８（図３には１つのみ図示。）が円周方向に所定間隔で形成されている。
【００２４】
筒状体１７は、少し拡開した状態でビール缶Ａの飲み口側端部に嵌着される。そして、ビール缶Ａの飲み口側端部に嵌着された筒状体１７の下端を筒状収容体１１に挿入し、その筒状体１７を所定方向に回転させることによって筒状体１７の突片１８を筒状収容体１１の突片１６の裏側に潜り込ませる。これによって、筒状体１７が縮径されるとともに、ビール缶Ａの飲み口側端面が環状リブ１２に当接し、シールが図られる。
なお、筒状体１７のビール缶Ａへの取付けと筒状体１７の筒状体収容部１１への取付けは、ビール缶Ａからビールが零れないように、ビール缶Ａを正立させた状態で筒状体１７や筒状収容体１１を逆さまにした状態でなされる。
【００２５】
筒状収容体１１の周壁１１ａの下端には、図３及び図４に示すように、平面視で半径方向外方に舌状に張り出す突出部１１ｂが一体的に形成されている。突出部１１ｂの先端には爪１１ｃが形成されている。一方、図４に示すように、ケーシング２内には各種部品を支持する支持枠９０が設けられている。この支持枠９０は、上記筒状収容体１１を下から支持する。支持枠９０の後面にはロックレバー１９が配設されている。このロックレバー１９は中間部が支持枠９０に回動自在に支持され、上端に爪１９ａを有している。そして、ロックレバー１９は、下端が支持枠９０の外壁面に当接し、自らの弾性によって爪１９ａを突出部１１ｂに向けて付勢している。そして、爪１９ａを突出部１１ｂの爪１１ｃに係合させることによって筒状収容体１１が支持枠９０に保持される。なお、図示はしないが、ロックレバー１９の操作突起１９ｂはケーシング２を貫通しケーシング２の後面に突出している。
【００２６】
このビールサーバー１では、ロックレバー１９の操作突起１９ｂをケーシング２の内方に向けて押し込むと、爪１９ａが突出部１１ｂから離反する方向へ動作し、突出部１１の爪１１ｃから離れる。これによって、支持枠９０による筒状収容体１１の保持が解除される。これによって、筒状収容体１１を支持枠９０から取り外すことができる。そして、取り外した筒状収容体１１は単独で取り扱ったり、洗浄したりすることができる。
【００２７】
ビール注出部２０は支持枠９０に組み付けられている。このビール注出部２０は管体２１と、ノズル２２と、弁装置２３とを備えている。管体２１には、図４及び図５に示すように、ビール流入口２１ａが設けられている。このビール流入口２１ａは筒状に形成され、筒状収容体１１の底面から下方に突出形成されビール流出口１３に連通する筒部１１ｄに嵌合する。管体２１はケーシング２の前面に延伸され、その先端部にノズル２２が接続されている。このノズル２２の排出口はビール注出口を構成している。
【００２８】
また、管体２１の内部にはビール流路を開閉する弁装置２３が配設されている。弁装置２３は、弁体２３ａと、弁棒２３ｂと、スプリング２３ｃとを備えている。そして、弁棒２３ｂひいては弁体２３ａはスプリング２３ｃによって前方に向けて付勢され、常態で、管体２１内に形成されるビール流路を閉塞している。
【００２９】
弁棒２３ｂの後端部は管体２１の後壁２１ｂから突出し、軸２４ａを介してレバー２４の中間部に連結されている。レバー２４の上端は軸２４ｂによって管体２１の後壁２１ｂに揺動可能に連結されている。一方、図５に示すように、支持枠９０の前部には液レバー（第１の操作子）２５が設置されている。この液レバー２５は、水平方向に延びる水平部２５ａと、鉛直方向に延びる鉛直部２５ｂとを有するようにＬ字状に曲折されている。そして、液レバー２５の水平部２５ａは、二股状の連結部材２６に取り付けられている。また、液レバー２５の鉛直部２５ｂは、ケーシング２の前方に位置している（図１）。そして、図５に示すように、液レバー２５の鉛直部２５ｂの下端には、グラスＢを収容する孤状の凹部２５ｃが形成されている。
図４及び図５に示すように、連結部材２６の股部分にはロッド２６ｂが立設されており、ロッド２６ｂの先端は上記レバー２４の下端に当接している。
【００３０】
このように構成されたビール注出部２０では、ビール缶保持部１０の筒状収容体１１に保持されたビール缶Ａ内のビールは、ビール流出口１３から管体２１のビール流路に入るが、ビール流路は弁装置２３の弁体２３ａによって下流への流出が止められている。液レバー２５を図４における右方へ操作すると、連結部材２６が右方へ移動し、レバー２４を軸２４ｂを中心に反時計方向に回動させる。すると、軸２４ａを介して弁体２３ａが右方に移動し、弁が開成される。したがって、ビール缶Ａ内のビールは、管体２１のビール流路を経てノズル２２から外部へ注出される。
【００３１】
泡形成装置３０は、図４に示すように、スプリング３１によって管体２１に圧接された超音波振動子等の振動子３２，図６に示すスイッチ３３，当該スイッチ３３を作動させる泡レバー（第２の操作子）３４等によって構成されている。
【００３２】
泡レバー３４は、ケーシング２に対して出没可能且つ着脱可能に設置されている。この泡レバー３４の後側には、前後方向に動作可能なスライダ３７ｂが配設されている。このスライダ３７ｂは、図６に示すように、スプリング３５の付勢力によって前方に向けて付勢されている。
【００３３】
また、スライダ３７ｂには、スイッチ３３の作動片３３ａを作動させる舌片３４ａが立設されている。そして、泡レバー３４がスプリング３５の付勢力に抗してケーシング２の内方に押し込まれると、スライダ３７ｂが後方に動作し、舌片３４ａによってスイッチ３３がＯＮされ、それによって振動子３２が起動される。この振動子３２が起動されると、その振動によって管体２１内のビールが泡立てられる。
なお、泡形成装置３０は、管体２１内に設けられた羽根の回転によって泡を形成するものであってもよい。
【００３４】
また、泡レバー３４は、周壁によって画成された凹部３４ｂが上面に形成され、ノズル２２から漏出したビールを受け止める受け皿を構成している。
この泡レバー３４は、ケーシング２に対して着脱可能なので、泡レバー３４をケーシング２から取り外せば単体として取り扱ったり、洗浄したりすることができる。
【００３５】
サーバー固定手段４０は、図１及び図６に示すように、ケーシング２の後側に向けて開口するコ字状のテーブル収容部４１を備えている。テーブル収容部４１を画成する下壁４１ａの開口端部に、軸４２ａを介して板状の押圧体４２の下端部が回動可能に支持されている。この押圧体４２の軸４２ａには捩じりコイルスプリング４３が巻回され、そのスプリング４３によって押圧体４２は図６において時計方向に付勢されている。この押圧体４２の上端幅方向中央部には、ローラ４４が配設されている。
なお、押圧体４２はここでは下壁４１ａに対して回動するように構成されているが、下壁４１ａに対して上下に直線的に往復動作するものであってもよい。また、万力等で使用される螺進式の締付け装置としてもよい。
【００３６】
このビールサーバー１では、図７（Ａ）に示すように、テーブル収容部４１をテーブルＣの縁部に挿入させることによって、押圧体４２のローラ４４とテーブル収容部４１を画成する上壁４１ｂとでテーブルＣの縁部が挟持される。
【００３７】
このようにしてテーブルＣに装着されたビールサーバー１は、ケーシング２の前側がテーブルＣの外方に開放されているので、背丈の長いグラスＢをも使用することができる。
【００３８】
続いて、空気パイプ１５の取付け構造を説明する。
図８に示すように、ビール缶保持部１０の下面には、パイプ装着用突起１４の下方となる部分に筒状部８０が形成されている。この筒状部８０の底８１には空気孔８２が形成されている。この底８１の上には環状のパッキン８３が配設されている。また、筒状部８０内部には弁棒８４を有する弁体８５が配設されている。弁体８５は弁棒８４の中間部に設けられ、弁棒８４の下端部は上記空気孔８２から下方に突出している。筒状部８０の下側には着脱可能で上面に凹部が形成された容器８６が設けられている。そして、筒状収容体１１をケーシング２に取り付けた際に、容器８６の底に弁棒８２の下端が突き当たり弁体８５が浮き上がり、空気パイプ１５を介してビール缶Ａと外気とが連通する。
なお、弁棒８４はスプリングによって弁体８５が空気孔８２を閉塞する方向に付勢されていてもよい。  
【００３９】
このようにテーブルＣに固定されたビールサーバー１では、図７（Ｂ）に示すように、グラスＢを斜めにして、グラスＢの上部で液レバー２５をケーシング２方向に押し込む。すると、ノズル２２からビールが注出される。ビールが所定量グラスＢ内に注入されたならば、図７（Ｃ）に示すように、グラスＢを正立させるようにしてグラスＢの底部で泡レバー３４をケーシング２内に押し込む。すると、図４に示す振動子３２が起動され、それによって管体２１内のビールが泡立てられ、ビール泡がノズル２２からグラスＢ内に注入される。そのため、泡レバー３４を押している際、液レバー２５の当て方を調整することで、ビール泡の注出量も調整できることになる。
【００４０】
以上、本発明の実施形態について説明したが、本発明は、かかる実施形態に限定されず、その発明の要旨を変更しない範囲で、種々の変形が可能であることは言うまでもない。
例えば、上記実施形態では、ビールとビール泡とを注ぐ飲料サーバーについて説明したが、飲料と飲料泡とを注ぐ飲料サーバー一般に適用できる。
【符号の説明】
【００４１】
１    飲料サーバー
２    ケーシング
１０    ビール缶保持部
２０    ビール注出部
２２    ノズル
２５    液レバー（第１の操作子）
３０    泡形成部
３２    振動子
３４    泡レバー（第２の操作子）
４１    テーブル収容部
Ａ    ビール缶（飲料缶）
Ｂ    グラス
Ｃ    テーブル
【図１】
0003209330.tif 000003
【図２】
0003209330.tif 000004
【図３】
0003209330.tif 000005
【図４】
0003209330.tif 000006
【図５】
0003209330.tif 000007
【図６】
0003209330.tif 000008
【図７】
0003209330.tif 000009
【図８】
0003209330.tif 000010